(57)【要約】      （修正有）【課題】利便性と低コスト性を高いレベルで両立することの可能な流体吐出具を提供する。【解決手段】本流体吐出具は、流体を収容する内筒と、前記内筒を覆う外筒と、前記内筒と外筒を連結する連結具とを少なくとも含み、前記内筒は、連結具に対して前後に相対移動することにより、流体をブラシに供給するエアレスポンプ機構を備え、前記外筒は、前記連結具に脱着自在であって且つ前記内筒の後端を露出可能に構成し、前記外筒を把持した状態で前記内筒を押圧することにより、流体を内筒から吐出可能であること特徴とする。【選択図】図１
0003167313.tif 000002
【実用新案登録請求の範囲】
【請求項１】
流体を収容する内筒と、前記内筒を覆う外筒と、前記内筒と外筒とを脱着自在に連結する連結具と、を少なくとも含み、
前記内筒は、前記連結具に対して相対移動することにより、前記流体を吐出する機構を備え、
前記外筒は、前記連結具に脱着自在であって且つ前記内筒の後端を露出するよう構成し、
前記外筒を握持した状態で前記内筒の後端を押圧することにより、該内筒から前記流体を吐出することを特徴とする、流体吐出具。
【請求項２】
前記外筒及び内筒の後端面を略揃えつつ、前記外筒に窪み部を設けることを特徴とする、請求項１に記載の流体吐出具。
【請求項３】
前記内筒を透明とし、前記外筒に長手方向に延伸したスリットを形成したことを特徴とする、請求項１に記載の流体吐出具。
【請求項４】
請求項１乃至３のうち何れか１項に記載の流体吐出具に塗布具を取り付けてなる、毛染め用具。
【考案の詳細な説明】
【技術分野】
【０００１】
本考案は、美容液、毛染め液、マニキュア等の化粧品や、接着剤、塗料などに代表される流体を吐出するための流体吐出具、並びに毛染め用具に関する。
【背景技術】
【０００２】
前記各流体を吐出する方法としては、以下の特許文献に示すように、スプレー型、チューブ型、ポンプ型など、各種の機構がある。
【先行技術文献】
【特許文献】
【０００３】
【特許文献１】特開平１１−３４２０２４号公報
【考案の概要】
【考案が解決しようとする課題】
【０００４】
本考案は、上記従来の流体吐出具と比較して、利便性と低コスト性を高いレベルで両立することが可能な流体吐出具を提供することを目的とする。
【課題を解決するための手段】
【０００５】
上記課題を解決すべくなされた本願の第１考案は、流体を収容する内筒と、前記内筒を覆う外筒と、前記内筒と外筒を連結する連結具と、を少なくとも含み、前記内筒は、連結具に対して前後に相対移動することにより、流体をブラシに供給するエアレスポンプ機構を備え、前記外筒は、前記連結具に脱着自在であって且つ前記内筒の後端を露出可能に構成し、前記外筒を把持した状態で前記内筒を押圧することにより、流体を内筒から吐出可能であること特徴とする、流体吐出具を提供するものである。
また、本願の第２考案は、前記考案において、前記外筒と内筒の端面を揃えつつ、前記外筒に窪み部を設けることにより、内筒を押圧可能に構成することを特徴とするものである。
また、本願の第３考案は、前記考案において、前記内筒を透明とし、前記外筒に、長手方向に延伸したスリットを形成したことを特徴とするものである。
また、本願の第４考案は、前記考案に記載の流体吐出具に、内筒の吐出口と連通するブラシを取り付けてなる毛染め用具を提供するものである。。
【考案の効果】
【０００６】
本考案によれば、以下に示す効果のうち、少なくとも一つを得ることが出来る。
（１）使用者が内筒単体を手にとっても、流体の吐出がほぼ不可能であり、外筒と組み立てられた状態でこそ流体を吐出しやすい設計であるため、予期せぬ流体の吐出を防止でき、安全である。
（２）流体が無くなった場合、内筒のみを交換したり内筒にあるキャップを外して別売りの流体を充填したりできる。したがって製造コストを低廉に押さえることができ、ゴミの廃棄量を抑え、環境にも配慮できる。
（３）外筒の後端を設置面として設置した場合であっても、予期せず内筒が押圧されることがなく、安全である。
（４）流体の使用量が視認できるため、利便性が高い。
【図面の簡単な説明】
【０００７】
【図１】本考案の流体吐出具の一実施例を示す図。
【図２】図１に係る流体吐出具の使用例を示す図。
【考案を実施するための形態】
【０００８】
以下、図面を参照しながら、本考案の実施例について説明する。
【実施例】
【０００９】
＜１＞全体構成
図１は、本考案の流体吐出具の一実施例を示す図である。
図１にかかる流体吐出具は、流体Ａを収容する内筒１と、前記内筒１を覆う外筒２と、前記内筒１と外筒２とを連結する連結具３と、を少なくとも含む。
【００１０】
また、図１に係る流体吐出具には、流体Ａを塗布するための塗布具Ｂと、前記塗布具Ｂを覆う蓋Ｃが別途設けてある。
流体Ａは、美容液、毛染め液、マニキュア等の化粧品や、接着剤、塗料などに代表される公知の流体が含まれる。
塗布具Ｂは、ブラシや、スポンジ、吐出孔を備えたピンなどの公知の塗布具が含まれる。
蓋Ｃは、前記塗布具Ｂを覆うものであり、プラスチック製、ビニール製、その他種々の素材、形状が含まれる。
なお、本考案は、内筒１と外筒２と連結具３との関係性を特徴とするものである為、前記流体Ａ、塗布具Ｂ並びに蓋Ｃの種類や態様等が本考案の技術的範囲に影響を及ぼすものではない。
【００１１】
＜２＞内筒
内筒１は、内部に流体Ａを収容するとともに、流体Ａを吐き出すための部材である。
【００１２】
内筒１の内部に収容した流体Ａを吐き出す態様としては、エアレスポンプ機構を採用でき、すなわち、後述する連結具３に対して内筒１自身を前後に相対移動させることで、内筒１の内部に設けてあるシリンダ１１が下降して流体Ａを吐出し、図示しない流路を介して塗布具Ｂへと流体Ａを導入するよう構成してある。
【００１３】
なお、本考案では内筒１の外形は特に限定されるものでは無いが、流体Ａの吐出にあたり、塗布具Ｂを下にして内筒１を握った時に、内筒１の後端に親指がかかるようなデザインであることが望ましい。
【００１４】
＜３＞外筒
外筒２は、少なくとも、装着時において使用者の握持部分として機能するための部材である。
【００１５】
図１では、外筒２の前端が開口しており、後述する連結具３に設けてある螺合溝３１と、鍔部３２とを介して固定される。したがって、内筒１は、外筒２との関係においても相対移動自在な関係となる。
【００１６】
また、外筒２の後端も開口しており、前記内筒１の後端のうち少なくとも一部が露出するように構成してあることを要する。
【００１７】
より望ましくは、外筒２の装着時において外筒２の後端と内筒１の後端とがほぼ同レベルとなるか、或いは内筒１の後端がやや内側に位置するような関係とすることが望ましい。
【００１８】
さらに、外筒２の後端に窪み部２１を設けることで、内筒１を押圧しやすくする構成も好適である。
【００１９】
なお、本考案は、内筒１及び外筒２の後端の位置関係や外筒２の窪み部２１の有無、窪み部２１の形状等は特に限定されるものではなく、外筒２を握持した際に内筒１が押圧しやすいものであれば、いかなる構成態様としてもよい。
【００２０】
また、前記外筒２に長手方向に延伸したスリット２２を形成てもよい。このとき前記内筒１を透明としておけば、流体Ａの残量がスリット２２から確認できるため、利便性が向上する。
【００２１】
＜３＞連結具
連結具３は、外筒に対して内筒を相対移動自在に連結するための部材である。
図１では、連結具３は、前記外筒２の前端を突き合わせる鍔部３１と、前記外筒２を固定する為の螺合溝３２を設けてあり、外筒２は連結具３に固定される関係となる。なお、連結具と外筒との固定手段は図１における螺合に限定されるものではなく、公知の機構を採用することができる。
【００２２】
一方、連結具３と内筒２とは、内筒２が相対移動自在に連結されるとともに、内筒２の吐出口と別途取り付けてある塗布具Ｂの流路とが連通するように取り付けてある。
【００２３】
＜４＞装着時
外筒２が装着された状態での使用方法について説明する。
【００２４】
図２は、図１に示す状態から９０度回転させた場合の後端付近を示す図である。
図２に示すように、塗布具Ｂ及び使用者の手の小指側を下方に向けて外筒２を握った場合、使用者の親指が内筒１及び外筒２の後端近傍に位置することとなる。
このとき、使用者の親指でもって内筒１の後端を押圧することにより、外筒２に対して内筒１のみが相対移動し、内部のエアレスポンプ機構でもって、内筒１から塗布具Ｂへと流体が吐出する。
【００２５】
なお、外筒２の装着時において内筒１の後端面を外筒２の後端面と同レベルかか、略浅めに形成しておけば、外筒２の後端を設置面として載置した場合であっても、内筒１が自然に押されて流体Ａが吐き出されるような問題を回避できる。
【００２６】
＜５＞分解時
外筒２を取り外した状態では、連結具３又は塗布具Ｂのみを握りながら内筒１を押圧しない限り、流体Ａを吐き出すことができないため、外筒２を取り外しておけば、流体Ａの吐出を極力防止することができる。
【００２７】
したがって、内筒１のみをパッケージして販売した場合であっても、パッケージ内で勝手に流体Ａが吐き出されたりすることは無く、安定した品質が確保できる。
【符号の説明】
【００２８】
１    内筒
１１  シリンダ
２    外筒
２１  窪み部
２２  スリット
３    連結具
３１  鍔部
３２  螺合溝
Ａ    流体
Ｂ    塗布具
Ｃ    蓋
【図１】
0003167313.tif 000003
【図２】
0003167313.tif 000004